(57)【要約】【課題】衣服等の布や、鞄・靴・財布等の皮革品の革などに対して容易に設置でき、かつＩＣ回路部とアンテナとを容易に導通可能な無線タグを実現する。【解決手段】被縫製要素Ｐに設けられる留め具型無線タグ１であって、情報を記憶するＩＣチップ５１及び情報を送受信する縫製アンテナ１３を備えた無線タグ回路素子Ｔoと、互いに合体可能な一対のキャップ体３及び係止体５とを有し、キャップ体３及び係止体５のうち少なくとも一方は、キャップ体３と係止体５との合体時に、ＩＣチップ５１と縫製アンテナ１３とを導通させる噛み歯導通部１５を備えている。【選択図】図１
2008293239.tif 000002
【特許請求の範囲】
【請求項１】
縫製により製作される縫製物に設けられる留め具型の無線タグであって、
情報を記憶するＩＣ回路部を備えた無線タグ回路素子と、
互いに合体可能な一対の第１合体部材及び第２合体部材とを有し、
前記第１合体部材及び前記第２合体部材のうち少なくとも一方は、前記第１合体部材と前記第２合体部材との合体時に、情報を送受信するタグ側アンテナに対し前記ＩＣ回路部を導通させる導通部を備える
ことを特徴とする留め具型の無線タグ。
【請求項２】
請求項１記載の留め具型の無線タグにおいて、
前記第１合体部材及び前記第２合体部材は、前記縫製物の被縫製要素を介在させつつ合体可能であり、
前記ＩＣ回路部は、前記第１合体部材に設けられている
ことを特徴とする留め具型の無線タグ。
【請求項３】
請求項２記載の留め具型の無線タグにおいて、
前記導通部は、前記第１合体部材に設けられており、
前記被縫製要素に前記タグ側アンテナを設けた
ことを特徴とする留め具型の無線タグ。
【請求項４】
請求項３記載の留め具型の無線タグにおいて、
前記タグ側アンテナは、
前記被縫製要素に対し、導電性の糸を用いた縫製により形成されている
ことを特徴とする留め具型の無線タグ。
【請求項５】
請求項３記載の留め具型の無線タグにおいて、
前記タグ側アンテナは、
前記被縫製要素に対し、縫製により取り付けられていることを特徴とする留め具型の無線タグ。
【請求項６】
請求項３乃至請求項５のいずれか１項記載の留め具型の無線タグにおいて、
前記タグ側アンテナに対する位置関係を固定するためのストッパ部を備えることを特徴とする留め具型の無線タグ。
【請求項７】
請求項６記載の留め具型の無線タグにおいて、
前記導通部は、
前記第１及び第２合体部材の合体時に、前記被縫製要素に設けられた複数個の前記タグ側アンテナに導通するように、複数個設けられている
ことを特徴とする留め具型の無線タグ。
【請求項８】
請求項６又は請求項７記載の留め具型の無線タグにおいて、
前記ストッパ部は、前記導通部に設けられている
ことを特徴とする留め具型の無線タグ。
【請求項９】
請求項６乃至請求項８のいずれか１項記載の留め具型の無線タグにおいて、
前記タグ側アンテナは、
前記被縫製要素のうち前記第１合体部材又は前記第２合体部材より一方側と他方側とにそれぞれ配置されている
ことを特徴とする留め具型の無線タグ。
【請求項１０】
請求項６乃至請求項９のいずれか１項記載の留め具型の無線タグにおいて、
前記第１合体部材は、樹脂材料により構成されており、
前記導通部は、前記第１合体部材の前記樹脂材料に対し、金属被覆により形成されている
ことを特徴とする留め具型の無線タグ。
【請求項１１】
請求項２記載の留め具型の無線タグにおいて、
前記導通部は、前記第１合体部材及び前記第２合体部材に設けられており、
前記タグ側アンテナは、前記第２合体部材に設けられている
ことを特徴とする留め具型の無線タグ。
【請求項１２】
請求項１１記載の留め具型の無線タグにおいて、
前記第１合体部材は、複数種類の前記第２合体部材と合体可能に構成されていることを特徴とする留め具型の無線タグ。
【請求項１３】
請求項１２記載の留め具型の無線タグにおいて、
前記第１合体部材は、前記第２合体部材と合体及び離脱可能に構成されていることを特徴とする留め具型の無線タグ。
【請求項１４】
請求項２記載の留め具型の無線タグにおいて、
前記導通部は、前記第１合体部材及び前記第２合体部材に設けられており、
前記タグ側アンテナは、
前記第１合体部材と接するように前記被縫製要素の厚さ方向一方側に設けられたマイクロストリップアンテナ素子と、前記第２合体部材と接するように前記被縫製要素の厚さ方向他方側に設けられた地板とを有するマイクロストリップアンテナである
ことを特徴とする留め具型の無線タグ。
【請求項１５】
請求項１記載の留め具型の無線タグにおいて、
前記縫製物を構成する一方側の被縫製要素に設けられて一方側務歯を備えた前記第１合体部材と、
前記縫製物を構成する他方側の被縫製要素に設けられて他方側務歯を備えた前記第２合体部材と、
前記一方側務歯及び前記他方側務歯を互いに合体・離脱させるためのスライダーとを有し、
前記導通部は、
前記スライダーを用いて前記一方側務歯と前記他方側務歯とが合体したときに、前記無線タグ回路素子を動作状態とし、前記スライダーを用いて前記一方側務歯と前記他方側務歯とが離脱したときに、前記無線タグ回路素子を非動作状態とする
ことを特徴とする留め具型の無線タグ。
【請求項１６】
請求項１５記載の留め具型の無線タグにおいて、
前記タグ側アンテナは、前記一方側被縫製要素に設けられ、
前記ＩＣ回路部は、前記他方側被縫製要素に設けられ、
前記導通部は、
前記スライダーを用いて前記一方側務歯と前記他方側務歯とが合体したときに、前記ＩＣ回路部と前記タグ側アンテナとを導通させる
ことを特徴とする留め具型の無線タグ。
【発明の詳細な説明】
【技術分野】
【０００１】
本発明は、無線通信により外部に対して情報の返信が可能な留め具型の無線タグに関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグは、所定の情報を記憶するＩＣ回路部と情報を送受信するタグ側アンテナとを備えている。そして、無線タグが汚れている場合や見えない位置に配置されている場合であっても、リーダ／ライタ側よりＩＣ回路部の無線タグ情報に対してアクセス（情報の読み取り／書き込み）が可能である。このような無線タグは、商品管理や検査工程等の様々な分野において既に実用化が進んでいる。
【０００３】
このような無線タグにおいて、例えば布等の柔軟性素材に貼り付け可能としたものとして、例えば特許文献１に記載のものが提唱されている。
【０００４】
【特許文献１】特開２００５−１３０３５４号公報
【発明の開示】
【発明が解決しようとする課題】
【０００５】
上記従来技術では、タグ側アンテナを金属細線等の柔構造とすることで柔軟性を持たせ、布などに取り付けても違和感がないように配慮されている。しかしながら、ＩＣ回路部（ＩＣチップ）については通常の構造（上記の柔構造ではない）のものを使用するとされ、詳細には記載されていない。すなわち、柔構造でないＩＣ回路部を布等にどのようにして設置するか、及び、その設置した柔構造でないＩＣ回路部に対し上記柔構造のタグ側アンテナからの導通性をどのようにして確保するかについて、特に配慮されていなかった。また布以外の鞄・靴・財布等の皮革品の革などへの適用については全く配慮されていなかった。
【０００６】
本発明の目的は、布や革などに対して容易に設置でき、かつＩＣ回路部とタグ側アンテナとを容易に導通可能な留め具型の無線タグを提供することにある。
【課題を解決するための手段】
【０００７】
上記目的を達成するために、第１の発明は、縫製により製作される縫製物に設けられる留め具型の無線タグであって、情報を記憶するＩＣ回路部を備えた無線タグ回路素子と、互いに合体可能な一対の第１合体部材及び第２合体部材とを有し、前記第１合体部材及び前記第２合体部材のうち少なくとも一方は、前記第１合体部材と前記第２合体部材との合体時に、情報を送受信するタグ側アンテナに対し前記ＩＣ回路部を導通させる導通部を備えることを特徴とする。
【０００８】
本願第１発明の留め具型の無線タグにおいては、第１合体部材と第２合体部材とを合体させる構造とする。そして、それら第１合体部材と第２合体部材との合体時に、導通部によってＩＣ回路部とタグ側アンテナとを導通させることで、無線タグ回路素子として機能させる。このようにして、衣服等の布や、さらには鞄・靴・財布等の皮革品の革などに対して容易に設置でき、かつＩＣ回路部とタグ側アンテナとを容易に導通可能な無線タグを実現することができる。
【０００９】
第２発明は、上記第１発明において、前記第１合体部材及び前記第２合体部材は、前記縫製物の被縫製要素を介在させつつ合体可能であり、前記ＩＣ回路部は、前記第１合体部材に設けられていることを特徴とする。
【００１０】
第１合体部材側に設けたＩＣ回路部を、第２合体部材との合体時にタグ側アンテナと導通させることで、無線タグ回路素子として機能させることができる。
【００１１】
第３発明は、上記第２発明において、前記導通部は、前記第１合体部材に設けられており、前記被縫製要素に前記タグ側アンテナを設けたことを特徴とする。
【００１２】
第１合体部材側に設けた導通部によって、第２合体部材との合体時に、ＩＣ回路部を被縫製要素側のタグ側アンテナと導通させ、縫製品に設けられた場合であっても確実に無線タグ回路素子として機能させることができる。
【００１３】
第４発明は、上記第３発明において、前記タグ側アンテナは、前記被縫製要素に対し、導電性の糸を用いた縫製により形成されていることを特徴とする。
【００１４】
上記構成により、予め被縫製要素に導電性の糸を縫い込んで形成したタグ側アンテナに対し、第１合体部材側に設けたＩＣ回路部を導通させ、無線タグ回路素子として機能させることができる。
【００１５】
第５発明は、上記第３発明において、前記タグ側アンテナは、前記被縫製要素に対し、縫製により取り付けられていることを特徴とする。
【００１６】
上記構成により、予め被縫製要素に対し縫製により取り付けられたタグ側アンテナに対し、第１合体部材側に設けたＩＣ回路部を導通させ、無線タグ回路素子として機能させることができる。
【００１７】
第６発明は、上記第３乃至第５発明のいずれかにおいて、前記第１合体部材は、前記タグ側アンテナに対する位置関係を固定するためのストッパ部を備えることを特徴とする。
【００１８】
ストッパ部を設けることにより、タグ側アンテナと第１合体部材側とが相対変位するのが抑制される。この結果、第１合体部材と第２合体部材との合体状態において、導通部を介したＩＣ回路部とタグ側アンテナとの導通が上記相対変位により阻害されるのを防止できる。
【００１９】
第７発明は、上記第６発明において、前記導通部は、前記第１及び第２合体部材の合体時に、前記被縫製要素に設けられた複数個の前記タグ側アンテナに導通するように、複数個設けられていることを特徴とする。
【００２０】
上記構成により、第１合体部材と第２合体部材との合体時に、導通部を介してＩＣ回路部の一方側と他方側とにタグ側アンテナが延設され接続される、ダイポールタイプまたはループコイルタイプのタグ側アンテナを実現することができる。
【００２１】
第８発明は、上記第６又は第７発明において、前記ストッパ部は、前記導通部に設けられていることを特徴とする。
【００２２】
導通部にストッパ部を設けて被縫製要素側と第１合体部材側との位置関係を固定することにより、別々に設ける場合よりも設置スペースを省略することができる。この結果、留め具型無線タグ全体をより小型化することができる。
【００２３】
第９発明は、上記第６乃至第８発明のいずれかにおいて、前記タグ側アンテナは、前記被縫製要素のうち前記第１合体部材又は前記第２合体部材より一方側と他方側とにそれぞれ配置されていることを特徴とする。
【００２４】
上記構成により、第１合体部材と第２合体部材との合体時に、ＩＣ回路部より一方側と他方側とにタグ側アンテナが延設される、ダイポールタイプのタグ側アンテナを実現することが可能となる。
【００２５】
第１０発明は、上記第６乃至第９発明のいずれかにおいて、前記第１合体部材は、樹脂材料により構成されており、前記導通部は、前記第１合体部材の前記樹脂材料に対し、金属被覆により形成されていることを特徴とする。
【００２６】
第１合体部材を樹脂材料で構成することにより、タグ側アンテナや導通部以外の絶縁性を容易に確保することができる。また、その樹脂材料に対し金属被覆を設けることで、第１合体部材に備えられる導通部を容易に実現することができる。
【００２７】
第１１発明は、上記第２発明において、前記導通部は、前記第１合体部材及び前記第２合体部材に設けられており、前記タグ側アンテナは、前記第２合体部材に設けられていることを特徴とする。
【００２８】
第１合体部材側に設けた導通部によって、第２合体部材との合体時に、ＩＣ回路部を第２合体部材側のタグ側アンテナと導通させ、無線タグ回路素子として機能させることができる。
【００２９】
第１２発明は、上記第１１発明において、前記第１合体部材は、複数種類の前記第２合体部材と合体可能に構成されていることを特徴とする。
【００３０】
上記構成により、第１合体部材と第２合体部材との組みあわせが複数種類実現できることとなる。例えば第２合体部材側に支持構造や大きさのバリエーションを持たせることで、使用者の種々のニーズに対応した種々の留め具型無線タグを実現することができる。
【００３１】
第１３発明は、上記第１２発明において、前記第１合体部材は、前記第２合体部材と合体及び離脱可能に構成されていることを特徴とする。
【００３２】
上記構成により、使用者は、縫製物に留め具型の無線タグが設けられた後も、第１合体部材又は第２合体部材を交換し、第１合体部材と第２合体部材との組みあわせを適宜複数種類変更することができる。この結果、使用者の種々のニーズに対応した種々の留め具型無線タグを実現することができる。
【００３３】
第１４発明は、上記第２発明において、前記導通部は、前記第１合体部材及び前記第２合体部材に設けられており、前記タグ側アンテナは、前記第１合体部材と接するように前記被縫製要素の厚さ方向一方側に設けられたマイクロストリップアンテナ素子と、前記第２合体部材と接するように前記被縫製要素の厚さ方向他方側に設けられた地板とを有するマイクロストリップアンテナであることを特徴とする。
【００３４】
上記構成により、第１合体部材と第２合体部材との合体時に、誘電体としての被縫製要素を介し一方側にアンテナ素子が配置され他方側に地板が配置される、マイクロストリップタイプのアンテナを実現することができる。
【００３５】
第１５発明は、上記第１発明において、前記縫製物を構成する一方側の被縫製要素に設けられて一方側務歯を備えた前記第１合体部材と、前記縫製物を構成する他方側の被縫製要素に設けられて他方側務歯を備えた前記第２合体部材と、前記一方側務歯及び前記他方側務歯を互いに合体・離脱させるためのスライダーとを有し、前記導通部は、前記スライダーを用いて前記一方側務歯と前記他方側務歯とが合体したときに、前記無線タグ回路素子を動作状態とし、前記スライダーを用いて前記一方側務歯と前記他方側務歯とが離脱したときに、前記無線タグ回路素子を非動作状態とすることを特徴とする。
【００３６】
一方側及び他方側の務歯をスライダーで合体・離脱させることにより、一方側及び他方側の被縫製要素を着脱自在とする、いわゆる線ファスナーを実現することができる。また、務歯を合体させた（すなわち線ファスナーを閉じた）ときに無線タグ回路素子を動作状態とし、務歯を合体させない（すなわち線ファスナーを開いた）ときに無線タグ回路素子を非動作状態とする。この結果、無線タグ回路素子と通信できるかどうかによって、線ファスナーの状態を検出することが可能となる。この場合、留め具型の無線タグを、線ファスナー状態の検出手段として機能させることができる。
【００３７】
第１６発明は、上記第１５発明において、前記タグ側アンテナは、前記一方側被縫製要素に設けられ、前記ＩＣ回路部は、前記他方側被縫製要素に設けられ、前記導通部は、前記スライダーを用いて前記一方側務歯と前記他方側務歯とが合体したときに、前記ＩＣ回路部と前記タグ側アンテナとを導通させることを特徴とする。
【００３８】
上記構成により、線ファスナーを閉じたときに、ＩＣ回路部とタグ側アンテナとを導通させ、無線タグ回路素子を動作状態とする構成を実現することができる。
【発明の効果】
【００３９】
本発明によれば、布や革などに対して容易に設置でき、かつＩＣ回路部とタグ側アンテナとを容易に導通可能な無線タグを実現することができる。
【発明を実施するための最良の形態】
【００４０】
以下、本発明の一実施の形態を図面を参照しつつ説明する。
【００４１】
図１は、本実施形態による留め具型無線タグと、この留め具型無線タグが設置される被縫製要素の設置部分の構造を概略的に表す分解斜視図である。
【００４２】
図１において、留め具型無線タグ１は、係止ステム２を有するキャップ体（第１合体部材）３と、その係止ステム２を嵌入させて係止する係止孔４を有する係止体（第２合体部材）５とを有している。この留め具型無線タグ１は、布などの被縫製要素Ｐに予め形成されている留め孔６に対し上記係止ステム２を貫通させつつ、キャップ体３と係止体５とで被縫製要素Ｐを挟むように合体することにより、全体を当該被縫製要素Ｐに設置するものである。
【００４３】
キャップ体３は、全体が略円盤形状に形成されたキャップ体本体１１と、このキャップ体本体１１の裏面側（図中下側）の中央に一体に形成された略円柱形状の係止ステム２とを有している。キャップ体本体１１の内部には、情報を記憶する機能及び縫製アンテナ(後述)で受信した電波を情報信号で変調することにより情報を返信する機能を備えたＩＣチップ（ＩＣ回路部；詳しくは後述する）５１を備え、またキャップ体本体１１の表面側（図中上側）には中心点に対して放射状に対向する２本の目印線１２が設けられている。
【００４４】
係止体５は、全体が上記キャップ体３と同じ径の略円盤に形成されており、その中心には上記係止ステム２が嵌入可能な係止孔４が形成されている。
【００４５】
被縫製要素Ｐには、上記係止ステム２が嵌入可能な留め孔６が形成されている。この留め孔６を中心に放射状に対向する配置で、２本の直線形状の縫製アンテナ（タグ側アンテナ。留め具型無線タグ１の一部を構成する）１３が設けられている。そして、これら２本の縫製アンテナ１３のそれぞれ留め孔６の近傍に位置する端部には、（この例では鋸歯状の）接触導通領域１３Ａが形成されている。なお、この被縫製要素Ｐは、縫製により製作される縫製物（衣服あるいは靴、鞄、財布等の皮革製品等）の一部である。
【００４６】
図２は、図１中II−II′断面による縦断面図である。なお、図中において、導電性材料で構成する部位には斜線（ハッチング）を記入して示している（以下の各図においても同様とする）。この図２において、キャップ体３及び係止体５はそれぞれ全体が導電性を有しない材料（例えば樹脂材料）で構成されている。そのうちの、キャップ体本体１１の裏面側（被縫製要素Ｐに対向する側；図中下面側）で係止ステム２の周囲にこの例では鋸歯形状に（なお通常の凹凸形状等でもよい）形成された噛み歯導通部（導通部、ストッパ部）１５の表面にのみ、金属皮膜（導通部）１６が形成されている。この噛み歯導通部１５は２つに分断されており（詳しくは後述する）、キャップ体本体１１の内部に設けられたＩＣチップ５１は、それら２カ所の噛み歯導通部１５にそれぞれ接続線Ｌ１，Ｌ２を介して接続している。また係止ステム２の先端近傍の外周には係止溝１７が形成されている。
【００４７】
係止体５の表面側（被縫製要素Ｐに対向する側；図中上面側）で係止孔４の周囲には、被縫製要素Ｐを介在させつつキャップ体３と係止体５とが合体した際に、上記キャップ体本体１１の噛み歯導通部１５と整合して噛み合う鋸歯形状の噛み合い部１８が形成されている。係止体５の裏面側（図中下側）で係止孔４の端部近傍の内周には、上記係止ステム２の係止溝に係止可能な係止ツメ１９が形成されている。
【００４８】
被縫製要素Ｐの縫製アンテナ１３は、例えば、金、アルミニウム、ステンレス（Niメッキ、銅被覆等）の金属やそれらの合金製のワイヤ（細線）などの、変形可能な導電性の糸が、被縫製要素Ｐに縫製されることで形成されている。そして各縫製アンテナ１３の留め孔６側の端部には、接触導通領域１３Ａがそれぞれ留め孔６に十分近い位置に形成されている。この結果、留め孔６及び係止ステム２をそれぞれ中心とした径方向に対して、接触導通領域１３Ａは噛み歯導通部１５と（被縫製要素Ｐの厚さ方向に）重複する配置となっている。
【００４９】
これにより、係止ステム２を留め孔６に貫通させつつキャップ体本体１１と係止体５とが被縫製要素Ｐを挟んで合体した際には、被縫製要素Ｐが、キャップ体本体１１の噛み歯導通部１５と係止体５の噛み合い部１８との噛み合いの間に確実に挟持される。また導電性の接触導通領域１３Ａが噛み歯導通部１５の金属皮膜１６に圧接されて導通状態が確実となる。この状態でＩＣチップ５１は、接続線Ｌ１，Ｌ２、金属皮膜１６、及び接触導通領域１３Ａを介して２つの縫製アンテナ１３とそれぞれ導通することになる。
【００５０】
図３は、キャップ体３の裏面における噛み歯導通部１５の配置とＩＣチップ５１との接続構成を表す図２中Ａ方向からの矢視図である。この図３において、２つの噛み歯導通部１５は、それぞれ中心角が（この例では）９０度の略扇型形状に形成されており、その鋸歯形状の各噛み合い歯はキャップ体本体１１と略同軸的な略円弧形状に形成されている。そしてＩＣチップ５１に接続する２本の接続線Ｌ１，Ｌ２は、２つの噛み歯導通部１５の金属皮膜１６にそれぞれ対応して接続されている。また２つの噛み歯導通部１５の間の２カ所の部分（係止ステム２の周囲で噛み歯導通部１５以外の部分）には、それぞれ扇型凹部２１が形成されており、これら扇型凹部２１は、噛み歯導通部１５と扇型凹部２１の周囲を囲む環状部分２２と比較してキャップ体本体１１の厚さ方向（図２中の上下方向）における厚さ寸法が薄くなるよう形成されている。
【００５１】
なお、キャップ体本体１１の表面側（図の紙面裏側）に形成された２本の目印線１２（図１参照）は、それぞれ噛み歯導通部１５と重なる配置に形成されている。これにより、使用者はキャップ体本体１１の裏面側（図の紙面表側）の噛み歯導通部１５の配置を確認せずとも、各目印線１２を各縫製アンテナ１３に一致させるようキャップ体３を回転させて被縫製要素Ｐに取り付けることで、容易に噛み歯導通部１５を縫製アンテナ１３の接触導通領域１３Ａに接触させることができる。
【００５２】
図４は、係止体５の表面における噛み合い部１８の配置を表す図２中Ｂ方向からの矢視図である。この図４において、噛み合い部１８は上記噛み歯導通部１５と対応する形状・配置で２カ所に分断されている。またそれらの間の２カ所の部分（係止孔４の周囲で噛み合い部１８以外の部分）には、それぞれ扇型凸部２３が形成されている。これら扇型凸部２３は、噛み合い部１８と扇型凸部２３の周囲を囲む環状部分２４と比較して係止体５の厚さ方向（図２中の上下方向）における厚さ寸法が厚くなるよう形成されている。
【００５３】
これにより、キャップ体３と係止体５とを合体させる際には、上記２カ所の噛み歯導通部１５と上記２カ所の噛み合い部１８とを周方向に一致させて噛み合わせると共に、上記２カ所の扇型凸部２３を上記２カ所の扇型凹部２１に嵌入させるようにする。なお、この際には扇型凸部２３と扇型凹部２１の間に布などの被縫製要素Ｐを挟み込ませるため、例えば比較的大きな嵌め合い寸法で遊嵌できるよう扇型凸部２３と扇型凹部２１を形成すればよい。また、係止ステム２の係止溝１７と係止孔４の係止ツメ１９は、扇型凸部２３と扇型凹部２１が被縫製要素Ｐを挟んで嵌入できた状態で初めて係止する配置で形成される。
【００５４】
このようにして合体したキャップ体３と係止体５は、扇型凸部２３と扇型凹部２１の嵌入により相互に回転方向にずれるのを防ぐことができる。また、上述したように、合体の際に被縫製要素Ｐがキャップ体本体１１の噛み歯導通部１５と係止体５の噛み合い部１８との噛み合いの間に確実に挟持されているため、留め具型無線タグ１全体を被縫製要素Ｐに対して相対的に回転するのを抑制することができる。これにより、キャップ体本体１１の噛み歯導通部１５と縫製アンテナ１３の接触導通領域１３Ａとの間の接触導通状態が確保される。
【００５５】
図５は、上記ＩＣチップ５１とそれに接続される上記縫製アンテナ１３の機能的構成を表す機能ブロック図である。
【００５６】
この図５において、ＩＣチップ５１は、前述したように、導通部６０（詳細には上記噛み歯導通部１５及び金属皮膜１６。以下同様）を介し、縫製アンテナ１３に接続されている。このアンテナ１３は、図示しない無線タグ情報通信装置側のアンテナとＵＨＦ帯等の高周波を用いて非接触で信号の送受信を行うことができるものであり、ＩＣチップ５１はこのアンテナ１３と導通した状態で初めて信号の送受信が可能な動作状態となり、アンテナ１３と導通していない状態では信号の送受信ができない非動作状態となる。そしてこれらＩＣチップ５１、導通部６０、及びアンテナ１３を含めた全体が無線タグ回路素子Ｔoを構成する。
【００５７】
ＩＣチップ５１は、アンテナ１３により受信された質問波を整流する整流部５３と、この整流部５３により整流された質問波のエネルギを蓄積しＩＣチップ５１の駆動電源とするための電源部５４と、上記アンテナ１３により受信された質問波からクロック信号を抽出して制御部５５に供給するクロック抽出部５６と、所定の情報信号を記憶し得るメモリ部５７と、上記導通部６０を介して上記アンテナ１３に接続された変復調部５８と、上記メモリ部５７、整流部５３、クロック抽出部５６、及び変復調部５８等を介して上記ＩＣチップ５１の作動を制御するための上記制御部５５とを備えている。
【００５８】
変復調部５８は、アンテナ１３により受信された上記無線タグ情報通信装置側のアンテナからの通信信号の復調を行うと共に、アンテナ１３で受信した質問波を変調し、アンテナ１３より応答波として再送信する。
【００５９】
制御部５５は、上記変復調部５８により復調された受信信号を解釈し、上記メモリ部５７において記憶された情報信号に基づいて返信信号を生成し、上記変復調部５８により返信する制御等の基本的な制御を実行する。
【００６０】
図６は、被縫製要素Ｐの表面における留め孔６、縫製アンテナ１３、及び接触導通領域１３Ａの配置を表す図２中Ｃ方向からの矢視図である。この図６において、留め孔６はキャップ体３の係止ステム２を嵌入可能な径の円形形状で形成されており、上述したようにこの留め孔６を挟んで対向する配置で２つの接触導通領域１３Ａが形成されている。これら接触導通領域１３Ａ，１３Ａは、この例では、上記噛み歯導通部１５と確実に接触して導通状態を確保できるよう十分に幅の広い鋸歯形状に形成されている。そして各接触導通領域１３Ａに接続している２つの縫製アンテナ１３は、相互に留め孔６の中心に対して放射状に対向する配置でそれぞれ直線形状に形成されている。すなわちこれら２本の縫製アンテナ１３は（上記キャップ体３と係止体５との合体時にＩＣチップ５１の一方側と他方側とに配置される）いわゆるダイポールアンテナを構成する。なお、アンテナ１３をこのようなダイポールタイプのアンテナとせず、ループコイル形状のループアンテナとしてもよい。
【００６１】
以上説明したように、本実施形態の留め具型無線タグ１においては、キャップ体３と係止体５とを合体させる構造となっている。そして、それらキャップ体３と係止体５との合体時に、噛み歯導通部１５（及びその表面の金属皮膜１６）と接触導通領域１３ＡによってＩＣチップ５１と縫製アンテナ１３とを導通させ、これによって無線タグ回路素子Ｔoとして機能させる。このようにして、衣服等の布や、鞄・靴・財布等の皮革品の革などに対して容易に設置でき、かつＩＣチップ５１と縫製アンテナ１３とを容易に導通可能な無線タグを実現することができる。
【００６２】
また、本実施形態では特に、縫製アンテナ１３が被縫製要素Ｐに対して導電性の糸を用いた縫製により形成されている。この構成により、予め被縫製要素Ｐに導電性の糸を縫い込んで形成した縫製アンテナ１３に対し、キャップ体３側に設けたＩＣチップ５１を導通させ、無線タグ回路素子Ｔoとして機能させることができる。
【００６３】
なお、被縫製要素Ｐに設けるアンテナは、上述したように導電性の糸を被縫製要素Ｐに直接縫い込んで形成する縫製アンテナ１３に限られない。他にも例えば、上記図６に対応する図７に示すように、被縫製要素Ｐと別体の縫製物、皮革物、などに導電性の糸を縫製してアンテナ３１を構成し（または非導通材料からなる薄板に金属皮膜を設けてもよい）、そのアンテナ３１を備えたアンテナ部材３２を被縫製要素Ｐに対して縫製などにより取り付けてもよい。
【００６４】
また、本実施形態では特に、キャップ体３が、被縫製要素Ｐのアンテナ１３に対する相対変位を抑制し位置関係を固定するため、ストッパ部としての噛み歯導通部１５を備えている。これにより、アンテナ１３側とキャップ体３側とが相対変位するのを抑制できる。この結果、キャップ体３と係止体５との合体状態において、噛み歯導通部１５と接触導通領域１３Ａとを介したＩＣチップ５１と縫製アンテナ１３との導通が、上記相対変位により阻害されるのを防止できる。
【００６５】
また、本実施形態では特に、上記のストッパ部としての機能は噛み歯導通部１５が有している。このように噛み歯導通部１５がストッパ部の機能を有して被縫製要素Ｐ側とキャップ体３側との相対変位を抑制し位置関係を固定することにより、別々に設ける場合よりも設置スペースを省略することができる。この結果、留め具型無線タグ１全体をより小型化することができる。
【００６６】
また、本実施形態では特に、キャップ体３を樹脂材料で構成することにより、縫製アンテナ１３や噛み歯導通部１５及び接触導通領域１３Ａ以外の絶縁性を容易に確保することができる。また、その樹脂材料のキャップ体３に対して２箇所の噛み歯導通部１５においてのみそれぞれ金属被覆１６を設けることで、キャップ体３に備えられる上記導通部６０を容易に実現することができる。
【００６７】
また、本実施形態の留め具型無線タグ１は、布服や皮革製品といった縫製物に設ける場合に限られない。留め具型無線タグ１は、貫通孔を備えた適宜のシート状物体であれば、その貫通孔を介して設置可能である。この場合も同様の効果を得る。
【００６８】
なお、本発明は上記実施形態に限られるものではなく、その技術思想及び趣旨を逸脱しない範囲で種々の変形が可能である。以下、そのような変形例を説明する。
【００６９】
（１）係止体にアンテナを設ける場合
上記実施形態ではＩＣチップ５１に接続するアンテナを被縫製要素Ｐに設けていたが、本発明はこれに限られず、例えば係止体にアンテナを設ける構成としてもよい。
【００７０】
図８は、この第１変形例による留め具型無線タグと、この留め具型無線タグが設置される被縫製要素Ｐの設置部分の構造を概略的に表す分解斜視図であり、上記実施形態における図１に対応する図である。この図８において、第１変形例の留め具型無線タグ１０１は、２つの挿入ツメ部１０２を有するキャップ体（第１合体部材）１０３と、それら挿入ツメ部１０２を挿入させて係止する挿入孔１０４を有する係止体１０５（第２合体部材）とを備えている。この留め具型無線タグ１０１は、被縫製要素Ｐに予め形成されている２つの留めスリット１０６に上記挿入ツメ部１０２を遊嵌させつつ、キャップ体１０３と係止体１０５とで被縫製要素Ｐを挟むように合体される。これにより、留め具型無線タグ１０１全体が当該被縫製要素Ｐに設置されるようになっている。
【００７１】
キャップ体１０３は、略円盤形状のキャップ体本体１１１と、略矩形板形状の２つの挿入ツメ部１０２とを有している。キャップ体本体１１１は、（上記実施形態のキャップ体３と同様に）全体が樹脂材料で構成され、内部にＩＣチップ５１を備えている。挿入ツメ部１０２は、キャップ体本体１１１の裏面側（図中下側）に、互いに平行な配置で立設するようにキャップ体本体１１１に一体に形成されている。
【００７２】
係止体１０５は、上記実施形態の係止体５と同様、全体が樹脂材料で構成されて略円盤形状に形成され、上記２つの挿入ツメ部１０２をそれぞれ挿入可能な２つの挿入孔１０４が形成されている。また被縫製要素Ｐにも、例えば上記挿入孔１０４と同じ形状の２つの留めスリット１０６が形成されている。
【００７３】
図９は、図８中IX−IX′断面による縦断面図であり、図９（ａ）は合体前の分離した状態を示す図、図９（ｂ）は合体した状態を示す図である。この図９において、キャップ体本体１１１の裏面側（被縫製要素Ｐに対向する側；図中下面側）には２つの平板形状の挿入ツメ部１０２，１０２が平行な配置で立設されている。各挿入ツメ部１０２の先端近傍の外側の面には直線状の係止溝１１３が形成され、また先端には挿入孔１０４への挿入が容易となるように面取り１１４が形成されている。
【００７４】
そして各係止溝１１３の内側における先端側の面には、金属皮膜で形成された溝側導通部（導通部）１１５が設けられている。キャップ体本体１１１の内部には、ＩＣチップ５１が２本の接続線Ｌ３，Ｌ４を介してそれぞれの溝側導通部１１５に接続している。
【００７５】
係止体１０５の内部には、この例では、２つの挿入孔１０４の周囲を囲む配置でループアンテナ１１６（タグ側アンテナ。留め具型無線タグ１０１の一部を構成する）が設けられている（詳しくは後述する）。係止体１０５の裏面側（図中下側）で各挿入孔１０４の端部近傍の外側の面（係止体１０５の外周に近い側の面）には、それぞれ上記挿入ツメ部１０２の係止溝１１３に係止可能な係止ツメ１１７が形成されている。これら係止ツメ１１７のそれぞれの裏面側（図中下側）には、金属皮膜で形成されたツメ側導通部（導通部）１１８が設けられており、上記ループアンテナ１１６の両端部がそれぞれ接続線Ｌ５，Ｌ６を介して対応するツメ側導通部１１８に接続されている。
【００７６】
上記の構成において、キャップ体１０３側の２つの挿入ツメ部１０２がそれぞれ被縫製要素Ｐの留めスリット１０６及び係止体１０５の挿入孔１０４に挿入され、キャップ体１０３が係止体１０５に押し込まれる。これにより、図９（ｂ）に示すように、キャップ体１０３と係止体１０５とが被縫製要素Ｐを挟みつつ合体する。そして、各挿入ツメ部１０２の係止溝１１３が、各挿入孔１０４の係止ツメ１１７に係止される。また、溝側導通部１１５とツメ側導通部１１８が確実に接触してそれらの間の導通状態が確保される。この状態で、ＩＣチップ５１は、接続線Ｌ３，Ｌ４，Ｌ５，Ｌ６、溝側導通部１１５、及びツメ側導通部１１８を介してループアンテナ１１６の両端に導通することになる。
【００７７】
なお、各挿入ツメ部１０２の外側の面（キャップ体本体１１１の外周に近い側の面）の間の幅Ｗ１と、各挿入孔１０４の外側の面（係止体１０５の外周に近い側の面）の間の幅Ｗ２とをほぼ同じ寸法に設定されている。この結果、キャップ体１０３と係止体１０５とが合体した状態で、挿入孔１０４の係止ツメ１１７を挿入ツメ部１０２の係止溝１１３に確実に係止させるようになっている。また、各挿入ツメ部１０２の係止溝１１３が各挿入孔１０４の係止ツメ１１７に係止する直前には、各挿入ツメ部１０２が相互に近接する方向に撓むよう変形する。係止体１０５の各挿入孔１０４の幅寸法は、挿入ツメ部１０２の撓み変形を許容できるよう十分余裕のある寸法に設定されている。
【００７８】
また、図９（ｂ）に示すように、キャップ体１０３と係止体１０５とが合体した状態で、各挿入ツメ部１０２の先端が係止体１０５の裏面（図中下側の面）より突出するように、挿入ツメ部１０２の長さ寸法が設定されている。これら先端を相互に近接するよう動かすことで、両方の係止溝１１３をそれぞれ係止ツメ１１７から外し、キャップ体１０３を係止体１０５から離脱させることができる。
【００７９】
図１０は、係止体１０５における２つの挿入孔１０４及び内部のループアンテナ１１６の配置を表す図９（ａ）中Ｄ方向からの矢視図である。この図１０で示す例において、ループアンテナ１１６は２つの挿入孔１０４の周囲を２周半する配置で設けられている。またループアンテナ１１６の両端は、それぞれ挿入孔１０４の外側に位置する対応するツメ側導通部１１８に接続している。
【００８０】
以上説明したように、この第１変形例の留め具型無線タグ１０１においては、ループアンテナ１１６は係止体１０５に設けられている。そして、キャップ体１０３と係止体１０５との合体時に、キャップ体１０３の溝側導通部１１５及び係止体１０５のツメ側導通部１１８を介し、ＩＣチップ５１を係止体１０５のループアンテナ１１６と導通させる。この結果、縫製物に合体して設けられた後に、ＩＣチップ５１及びループアンテナ１１６を無線タグ回路素子Ｔoとして機能させることができる。すなわち、衣服等の布や、鞄・靴・財布等の皮革品の革などに対して容易に設置でき、かつＩＣチップ５１とループアンテナ１１６とを容易に導通可能な無線タグを実現することができる。
【００８１】
なお、本変形例において、キャップ体１０３に合体させる係止体１０５は上記のようなループアンテナ１１６を備えた構成のものに限られない。例えば図１０に対応する図１１（図示の便宜上、各部寸法の縮尺は図１０と相違している）に示すように、ダイポールアンテナ１１９（タグ側アンテナ）を備えた構成の係止体１２０を合体させてもよい。この場合、各挿入孔１０４の構成と寸法は上記と同じ設定となる。
【００８２】
このように、キャップ体１０３が複数種類の係止体１０５，１２０と合体可能に構成されていることにより、キャップ体１０３と係止体１０５，１２０との組みあわせが複数種類実現できることとなる。例えば係止体側に支持構造や大きさのバリエーションを持たせることで、使用者の種々のニーズに対応した種々の留め具型無線タグを実現することができる。なお、この例ではキャップ体１０３が係止体１０５と合体及び離脱可能に構成されているが、いったん合体した後は離脱不能に構成してもよい。
【００８３】
また、本変形例では特に、キャップ体１０３が係止体１０５と合体及び離脱可能に構成されていることにより、使用者は、被縫製要素に留め具型無線タグ１０１が設けられた後も、キャップ体１０３又は係止体１０５を交換し、キャップ体と係止体との組みあわせを適宜複数種類変更することができる。この結果、使用者の種々のニーズに対応した種々の留め具型無線タグを実現することができる。すなわち例えば、種々の情報を記憶したＩＣチップ５１を供えるキャップ体１０３に対して、多様な種類のアンテナを備えた係止体を選択し交換して合体させることができる。
【００８４】
（２）パッチアンテナを設ける場合
上記実施形態及び変形例ではＩＣチップ５１に接続するアンテナの例としてダイポールアンテナやループアンテナを適用した例を説明したが、本発明はこれに限られずに、例えばパッチアンテナを適用してもよい。
【００８５】
図１２は、この第２変形例による留め具型無線タグと、この留め具型無線タグが設置される被縫製要素Ｐの設置部分の構造を概略的に表す分解斜視図であり、上記実施形態における図１に対応する図である。この図１２において、第２変形例の留め具型無線タグ２０１は、ヘッド部２０２とステム部２０３を有するリベット体（第１合体部材）２０４と、そのステム部２０３を貫通させる貫通孔２０５を有するマイクロストリップアンテナ素子２０６と、ステム部２０３を貫通させる貫通孔２０７を有する基板２０８と、ステム部２０３の先端を挿入させて内部で圧壊させる係止体（第２合体部材）２０９とで構成されている。この留め具型無線タグ２０１では、マイクロストリップアンテナ素子２０６の貫通孔２０５、被縫製要素Ｐに予め形成されている留め孔２１０、及び基板２０８の貫通孔２０７に対し、上記ステム部２０３を貫通させつつステム部２０３の先端を係止体２０９に挿入させて圧着する。これにより、マイクロストリップアンテナ素子２０６と基板２０８とで被縫製要素Ｐを挟むように合体し、留め具型無線タグ２０１全体が当該被縫製要素Ｐに設置される。
【００８６】
リベット体２０４は、内部にＩＣチップ５１を有し略全体が樹脂材料で略半球形状に形成されたヘッド部２０２と、このヘッド部２０２の裏面側（図中下側）の平面部の中心に略円柱形状で一体に形成されたステム部２０３とを有している。
【００８７】
マイクロストリップアンテナ素子２０６は、全体が導電性材料で、略正方形の薄板形状に形成されている。このマイクロストリップアンテナ素子２０６の正方形形状の対向する２箇所の角部には、面取り２１１が形成されている。また、上記貫通孔２０５の位置は、給電位置となるため、ＩＣチップ５１とインピーダンス整合を図るようにマイクロストリップアンテナ素子２０６の中央位置からある一辺に向かってずれた位置に形成されている。
【００８８】
基板２０８は、全体が誘電率の高い高誘電体材料で構成されており、マイクロストリップアンテナ素子２０６より大きい略正方形の薄板形状に形成されている。上記貫通孔２０７は、上記マイクロストリップアンテナ素子２０６と略同じ方向・同じ寸法で中央位置からずれた位置に形成されている。
【００８９】
係止体２０９は、全体が導電性を有する硬質の金属材料で略全体が略半球形状に形成されている。係止体２０９の表面側（図中上側）の平面部の中心には、上記ステム部２０３が嵌入可能な挿入穴２１２が形成されている。
【００９０】
図１３は、図１２中XIII−XIII′断面による縦断面図であり、図１３（ａ）は合体前の分離した状態を示す図、図１３（ｂ）は合体した状態を示す図である。これら図１３（ａ）及び図１３（ｂ）において、リベット体２０４のヘッド部２０２の裏面側（被縫製要素Ｐに対向する側；図中下面側）全体には、金属被膜で形成されたヘッド側導通部（導通部）２１３が設けられている。ステム部２０３の先端には金属被膜で形成されたステム側導通部（導通部）２１４が設けられている。リベット体２０４の内部のＩＣチップ５１は、２本の接続線Ｌ７，Ｌ８を介してヘッド側導通部２１３とステム側導通部２１４にそれぞれ接続している。
【００９１】
基板２０８の裏面側（図中下側）全体には金属被膜で形成された地板２１５が設けられており、この地板２１５はいわゆる接地板（グラウンドパターン）として機能するものである。
【００９２】
係止体２０９の挿入穴２１２は、係止体２０９を貫通せず係止体２０９の内部に底面２１２ａを有するよう形成されている。挿入穴２１２の挿入口２１２ｂと底面２１２ａとの間の部分は、例えば中ぐりによって挿入口２１２ｂより大きい径で形成されている。
【００９３】
上記の構成において、リベット体２０４のステム部２０３がマイクロストリップアンテナ素子２０６の貫通孔２０５、被縫製要素Ｐの留め孔２１０、及び基板２０８の貫通孔２０７に順に貫通させつつステム部２０３の先端を係止体２０９の挿入穴２１２に挿入される。そして、リベット体２０４のヘッド部２０２と係止体２０９とがステム部２０３の軸方向で圧着されることで、ステム部２０３の先端が挿入穴２１２の内部で圧壊される。この結果、図１３（ｂ）に示すようにマイクロストリップアンテナ素子２０６と基板２０８とが、被縫製要素Ｐを挟みつつ留め具型無線タグ２０１全体が合体する。この状態では、ステム部２０３の先端が係止体２０９の挿入穴２１２内部で挿入口２１２ｂより大きい径に変形されているため、係止体２０９はステム部２０３に確実に結合する。
【００９４】
このとき、リベット体２０４のヘッド部２０２のヘッド側導通部２１３が、マイクロストリップアンテナ素子２０６と確実に接触してそれらの間の導通状態が確保される。さらに、ステム部２０３の先端のステム側導通部２１４が、係止体２０９の挿入穴２１２の底面２１２ａと確実に接触して、それらの間の導通状態が確保される。この状態で、ＩＣチップ５１は接続線Ｌ７とヘッド側導通部２１３を介してマイクロストリップアンテナ素子２０６と導通すると共に、ＩＣチップ５１は接続線Ｌ８、ステム側導通部２１４、及び係止体２０９を介して基板２０８の地板２１５と導通することになる。この合体構成において、マイクロストリップアンテナ素子２０６と、地板２１５を備える基板２０８とが平面アンテナ、いわゆるパッチアンテナ（マイクロストリップアンテナ）が実現される。
【００９５】
なお、被縫製要素Ｐと基板２０８の誘電体は合わせてパッチアンテナの誘電体として機能するものである。
【００９６】
この第２変形例の留め具型無線タグ２０１によっても、上記実施形態と同様の効果を得ることができる。すなわち、衣服等の布や、鞄・靴・財布等の皮革品の革などに対して容易に設置でき、かつＩＣチップ５１とパッチアンテナとを容易に導通可能な無線タグを実現することができる。
【００９７】
（３）留め具を線ファスナーで構成する場合
上記実施形態及び第１、第２変形例では、本発明を、被縫製要素Ｐに対して概略的に一点で結合する点ファスナーに適用した場合を例にとって説明した。本発明はこれに限られず、例えば２つの被縫製要素Ｐのそれぞれの一辺を結合する線ファスナーに適用してもよい。
【００９８】
図１４は、この第３変形例による留め具型無線タグと、この留め具型無線タグによりそれぞれの一辺が結合される２つの被縫製要素の設置部分の構造を概略的に表す正面図である。図１４（ａ）は部分的に結合した状態を示す図、図１４（ｂ）は全体的に結合した状態を示す図である。
【００９９】
これら図１４（ａ）及び図１４（ｂ）において、この第３変形例による留め具型無線タグ３０１は、務歯列３０５Ａを備えた一方側（図中左側）の基材帯体（第１合体部材）３０２Ａと、務歯列３０５Ｂを備えた他方側（図中右側）の基材帯体（第２合体部材）３０２Ｂと、スライダー３０４と、アンテナ３０６（タグ側アンテナ）とを有している。
【０１００】
基材帯体３０２Ａ，３０２Ｂは例えば可撓性材料によりテープ状に構成され、縫製物などからなる２つの被縫製要素Ｐ１，Ｐ２の互いに近い側の辺に縫製などにより設けられている。それら２つの基材帯体３０２Ａ，３０２Ｂの互いに近い側の縁部に、上記務歯列３０５Ａ，３０５Ｂがそれぞれ設けられている。各務歯列３０５Ａ，３０５Ｂには、それぞれ等間隔の配置で多数個の務歯３０３が設けられている。
【０１０１】
スライダー３０４は、内部にＹ字形状の通過経路（特に図示せず）が形成され、務歯列３０５Ａと務歯列３０５Ａとの両方に係止するよう設けられている。このスライダー３０４は、両方の務歯列３０５Ａ，３０５Ｂの間で各基材帯体３０２Ａ，３０２Ｂに沿って移動される。これにより、その移動方向におけるスライダー３０４からの一方側（図１４（ａ）中の下側）において双方の務歯列３０５Ａ，３０５Ｂが互いに噛み合って（務歯３０３同士が合体して）２つの基材帯体３０２Ａ，３０２Ｂが結合する。また、移動方向におけるスライダー３０４からの他方側（図１４（ａ）中の上側）において双方の務歯列３０５Ａ，３０５Ｂの噛み合いが外れて（務歯３０３同士が離脱して）２つの基材帯体３０２Ａ，３０２Ｂが分離するようになっている。
【０１０２】
各務歯列３０５Ａに備えられた務歯３０３のほとんどは非導電性材料で構成されているが、その一部が、金属などの導電性材料で構成された導通務歯（導通部）３０３Ａ，３０３Ｂ，３０３Ｃ，３０３Ｄとなっている。図示のように、導通務歯３０３Ａ，３０３Ｃは一方側の務歯列３０５Ａに設けられ、導通務歯３０３Ｂ，３０３Ｄは他方側の務歯列３０５Ｂに設けられている。一方側の務歯列３０５Ａと他方側の務歯列３０５Ｂとの噛み合い時に、導通務歯３０３Ａと導通務歯３０３ｂとが互いに噛み合って導通するとともに、導通務歯３０３Ｃと導通務歯３０３Ｄとが互いに噛み合って導通するようになっている。なお、これら導通務歯３０３Ａ，３０３Ｂと、導通務歯３０３Ｃ，３０３Ｄとは、絶縁性を確保するために、例えば複数個（図示する例では３個）の務歯３０３だけ離間した配置で設けられている。
【０１０３】
基材帯体３０２Ａの務歯列３０５Ａに備えられた２つの導通務歯（一方側務歯）３０３Ａ，３０３Ｃには、それぞれ接続線Ｌ９，Ｌ１０を介して２つの上記アンテナ線３０６，３０６が接続されている。基材帯体３０２Ｂの務歯列３０５Ｂに備えられた２つの導通務歯（他方側務歯）３０３Ｂ，３０３Ｄにはそれぞれ接続線Ｌ１１，Ｌ１２を介して共通のＩＣチップ５１が接続されている。
【０１０４】
ダイポールアンテナを構成する上記２つのアンテナ線３０６は、上記基材帯体３０２Ａが設けられている一方側（図中左側）の被縫製要素Ｐ（一方側被縫製要素）に設けられている。上記ＩＣチップ５１は、上記他方側の基材帯体３０２Ｂが設けられている他方側（図中右側）の被縫製要素Ｐ（他方側被縫製要素）に設けられている。
【０１０５】
上記構成により、スライダー３０４を移動させて全ての上記導通務歯３０３Ａ，３０３Ｂ，３０３Ｃ，３０３Ｄ同士の噛み合いが外された状態（図１４（ａ）の状態）では、ＩＣチップ５１がどのアンテナ線３０６にも導通せずに非動作状態となる。また、スライダー３０４を移動させて全ての上記導通務歯３０３Ａ，３０３Ｂ，３０３Ｃ，３０３Ｄ同士が噛み合った状態（図１４（ｂ）の状態）では、それぞれの対において対応する２つの導通務歯（３０３Ａと３０３Ｂ、又は３０３Ｃと３０３Ｄ）同士が確実に接触してそれらの間の導通状態が確保される。この状態でＩＣチップ５１は、接続線Ｌ９，Ｌ１０，Ｌ１１，Ｌ１２及び各対の導通務歯３０３Ａ，３０３Ｂ，３０３Ｃ，３０３Ｄを介して２つの直線アンテナ３０６に導通し、動作状態となることができる。
【０１０６】
以上説明したように、この第３変形例の留め具型無線タグ３０１においては、一方側及び他方側の務歯３０３をスライダー３０４で合体・離脱させることにより、一方側及び他方側の被縫製要素Ｐ１，Ｐ２を着脱自在とする、いわゆる線ファスナーを実現する。そして、務歯３０３を合体させた（すなわち線ファスナーを閉じた）ときにＩＣチップ５１及びアンテナ線３０６を含めた無線タグ回路素子Ｔoを動作状態とし、務歯３０３を合体させない（すなわち線ファスナーを開いた）ときに無線タグ回路素子Ｔoを非動作状態とする。このようにして、上記実施形態と同様、衣服等の布や、鞄・靴・財布等の皮革品の革などに対して容易に設置でき、かつＩＣチップ５１とアンテナ３０６とを容易に導通可能な無線タグを実現することができる。
【０１０７】
また、上記の動作により、無線タグ回路素子Ｔoと通信できるかどうかによって、線ファスナーの状態を検出することも可能となる。この場合、留め具型無線タグ３０１を、線ファスナー状態の検出手段として機能させることができる。
【０１０８】
以上既に述べた以外にも、上記実施形態や各変形例による手法を適宜組み合わせて利用しても良い。
【０１０９】
その他、一々例示はしないが、本発明は、その趣旨を逸脱しない範囲内において、種々の変更が加えられて実施されるものである。
【図面の簡単な説明】
【０１１０】
【図１】本発明の一実施形態の留め具型無線タグと、留め具型無線タグが設置される被縫製要素の設置部分の構造を概略的に表す分解斜視図である。
【図２】図１中II−II′断面による縦断面図である。
【図３】キャップ体の裏面における噛み歯導通部の配置とＩＣチップとの接続構成を表す図２中Ａ方向からの矢視図である。
【図４】係止体の表面における噛み合い部の配置を表す図２中Ｂ方向からの矢視図である。
【図５】ＩＣチップとそれに接続される導通部及びアンテナの機能的構成を表す機能ブロック図である。
【図６】被縫製要素の表面における係止孔、縫製アンテナ、及び接触導通領域の配置を表す図２中Ｃ方向からの矢視図である。
【図７】被縫製要素の表面にアンテナ部材を縫製により取り付けた場合の配置を表す図である。
【図８】係止体にアンテナを設けた場合の留め具型無線タグと、この留め具型無線タグが設置される被縫製要素の設置部分の構造を概略的に表す分解斜視図である。
【図９】図８中IX−IX′断面による縦断面図であり、合体前の分離した状態を示す図と、合体した状態を示す図である。
【図１０】係止体における２つの挿入孔及び内部のループアンテナの配置を表す図９（ａ）中Ｄ方向からの矢視図である。
【図１１】係止体にダイポールアンテナを備えた場合の配置を表す図である。
【図１２】パッチアンテナを設けた場合の留め具型無線タグと、この留め具型無線タグが設置される被縫製要素の設置部分の構造を概略的に表す分解斜視図である。
【図１３】図１２中XIII−XIII′断面による縦断面図であり、合体前の分離した状態を示す図と、合体した状態を示す図である。
【図１４】線ファスナーで構成した留め具型無線タグと、留め具型無線タグにより結合される２つの被縫製要素の設置部分の構造を概略的に表す正面図であり、結合前の分離した状態を示す図と、結合した状態を示す図である。
【符号の説明】
【０１１１】
１                留め具型無線タグ
３                キャップ体（第１合体部材）
５                係止体（第２合体部材）
１３              縫製アンテナ（タグ側アンテナ）
１３Ａ            接触導通領域
１５              噛み歯導通部（導通部、ストッパ部）
１６              金属皮膜（導通部）
３１              アンテナ部材
５１              ＩＣチップ（ＩＣ回路部）
１０１            留め具型無線タグ
１０３            キャップ体（第１合体部材）
１０５            係止体（第２合体部材）
１１５            溝側導通部（導通部）
１１６            ループアンテナ（タグ側アンテナ）
１１８            ツメ側導通部（導通部）
１１９            ダイポールアンテナ（タグ側アンテナ）
２０１            留め具型無線タグ
２０４            リベット体（第１合体部材）
２０６            マイクロストリップアンテナ素子
２０８            基板
２０９            係止体（第２合体部材）
２１３            ヘッド側導通部（導通部）
２１４            ステム側導通部（導通部）
２１５            地板
３０１            留め具型無線タグ
３０２Ａ          基材帯体（第１合体部材）
３０２Ｂ          基材帯体（第２合体部材）
３０３            務歯
３０３Ａ          導通務歯（導通部、一方側務歯）
３０３Ｂ          導通務歯（導通部、他方側務歯）
３０３Ｃ          導通務歯（導通部、一方側務歯）
３０３Ｄ          導通務歯（導通部、他方側務歯）
３０４            スライダー
３０６            アンテナ線（アンテナ）
Ｔo               無線タグ回路素子
Ｐ                被縫製要素
Ｐ１              被縫製要素（一方側被縫製要素）
Ｐ２              被縫製要素（他方側被縫製要素）
【図１】
2008293239.tif 000003
【図２】
2008293239.tif 000004
【図３】
2008293239.tif 000005
【図４】
2008293239.tif 000006
【図５】
2008293239.tif 000007
【図６】
2008293239.tif 000008
【図７】
2008293239.tif 000009
【図８】
2008293239.tif 000010
【図９】
2008293239.tif 000011
【図１０】
2008293239.tif 000012
【図１１】
2008293239.tif 000013
【図１２】
2008293239.tif 000014
【図１３】
2008293239.tif 000015
【図１４】
2008293239.tif 000016